(57)【要約】【課題】  搬送途中や取り付け作業中に、スプリンクラーヘッドが外力を受けて損傷することのないスプリンクラー配管ユニットの養生装置を提供する。【解決手段】  樹脂管２１の先端に座付エルボ２２を介してスプリンクラーヘッド２８が取り付けられるスプリンクラー配管ユニット２０の養生装置１であって、断熱性及びクッション性を有する材料から形成されるとともに、内部に前記スプリンクラー配管ユニット２０の前記座付エルボ２２及び前記スプリンクラーヘッド２８を収容する略Ｌ形の収容室５が設けられ、かつ前記スプリンクラー配管ユニット２０の長手方向に沿って２つ割りに形成される養生部材２と、該養生部材２を開閉自在に連結する連結手段と、前記養生部材２を閉じた状態に固定する固定手段とを備えている。【選択図】  図１０
2010227139.tif 000002
【特許請求の範囲】
【請求項１】
樹脂管の先端に座付エルボを介してスプリンクラーヘッドが取り付けられるスプリンクラー配管ユニットの養生装置であって、
断熱性及びクッション性を有する材料から形成されるとともに、内部に前記スプリンクラー配管ユニットの前記座付エルボ及び前記スプリンクラーヘッドを収容する略Ｌ形の収容室が設けられ、かつ前記スプリンクラー配管ユニットの長手方向に沿って２つ割りに形成される養生部材と、該養生部材を開閉自在に連結する連結手段と、前記養生部材を閉じた状態に固定する固定手段とを備えていることを特徴とするスプリンクラー配管ユニットの養生装置。
【請求項２】
前記収容室は、前記座付エルボを収容する第１収容室と、該第１収容室に連設されるとともに、前記スプリンクラーヘッドを収容する第２収容室とを備え、前記第１収容室は、前記座付エルボのエルボ本体の前記樹脂管との接続部を案内する、該接続部の外面形状に合致した内面形状の第１案内部と、前記座付エルボのナット部を案内する、該ナット部の外面形状に合致した内面形状の第２案内部と有していることを特徴とする請求項１に記載のスプリンクラー配管ユニットの養生装置。
【請求項３】
前記第１案内部及び前記第２案内部は、それらの内面に前記接続部の外面及び前記ナット部の外面を密着させ得る内寸法に形成されていることを特徴とする請求項２に記載のスプリンクラー配管ユニットの養生装置。
【請求項４】
前記スプリンクラーヘッドには、保護キャップが取り付けられていることを特徴とする請求項１から３の何れか１項に記載のスプリンクラー配管ユニットの養生装置。
【請求項５】
前記第２収容室は、前記第１収容室の前記第２案内部に連設される大径部と、大径部に連設される小径部とから構成され、前記大径部内に前記スプリンクラーヘッドが収容され、前記大径部と前記小径部との境界の段差に前記保護キャップの頭部が当接されるように構成されていることを特徴とする請求項４に記載のスプリンクラー配管ユニットの養生装置。
【請求項６】
前記第２収容室の大径部は、内面に前記キャップの外面を密着させ得る内寸法に形成されていることを特徴とする請求項５に記載のスプリンクラー配管ユニットの養生装置。
【請求項７】
前記連結手段は、紙製、布製、プラスチック製又は金属製の粘着テープであり、前記固定手段は、伸縮性を有する環状のバンド、又は紙製、布製、プラスチック製又は金属製の粘着テープであることを特徴とする請求項１から６の何れか１項に記載のスプリンクラー配管ユニットの養生装置。
【請求項８】
前記養生部材の表面の一部は曲面に形成されていることを特徴とする請求項１から７の何れか１項に記載のスプリンクラー配管ユニットの養生装置。
【請求項９】
樹脂管の先端に座付エルボを介してスプリンクラーヘッドを取り付けたスプリンクラー配管ユニットを加工し、このスプリンクラー配管ユニットの前記座付エルボ及び前記スプリンクラーヘッドを請求項１から８に記載の養生装置の養生部材の収容室内に収容して養生し、この状態で搬送して建物の天井部の取付位置に取り付け、取り付け作業が完了する直前に前記養生装置を取り外すことを特徴とするスプリンクラー配管ユニットの施工方法。
【発明の詳細な説明】
【技術分野】
【０００１】
本発明は、スプリンクラー配管ユニットの養生装置及びスプリンクラー配管ユニットの施工方法に関し、特に、スプリンクラー設備のスプリンクラーヘッドを養生するのに有効なスプリンクラー配管ユニットの養生装置及びスプリンクラー配管ユニットの施工方法に関する。
【背景技術】
【０００２】
近年、集合住宅等の建物の施工現場において、例えば、各種の衛生設備を施工する場合、施工の省力化、工数削減、精度の向上、残材の削減等を図るため、配管の一部を工場で加工することが行われている。
【０００３】
例えば、スプリンクラー設備においては、精密部品のスプリンクラーヘッドが衝撃、熱に弱いことから、工場で樹脂管の先端に座付エルボを取り付けたスプリンクラー配管ユニットを加工し、このスプリンクラー配管ユニットを一袋に一ユニットずつ梱包して運送業者により現場に搬入し、現場でスプリンクラー専門工が各スプリンクラー配管ユニットを建物の天井スラブ部の所定の位置に取り付け、別途運送業者により現場に搬入した保護キャップ付きのスプリンクラーヘッドをスプリンクラー専門工により各スプリンクラー配管ユニットの座付エルボに取り付けている。
【０００４】
スプリンクラーヘッドを保護する養生装置の一例が特許文献１に記載されている。この養生装置は、スプリンクラーヘッドを被包するように、合成樹脂製のコップ状の盲キャップを取り付け、又はスプリンクラーヘッドに保護カバーが取り付けられている場合には、保護カバーの外側に、内周面を拡径させた上記盲キャップを取り付け、盲キャップの開口端の外周側にバンドを取り付けて締め付けることにより、盲キャップの開口端に設けられている各スリットの幅を縮小させ、盲キャップの開口端部をスプリンクラーヘッドのフランジの外周面に固定するように構成したものである。
【０００５】
上記のような構成の養生装置は、建物の内装改修工事において、スプリンクラーヘッドの破損事故を防ぐために、建物の天井部の既設の各スプリンクラーヘッドを保護するのに用いられている。
【先行技術文献】
【特許文献】
【０００６】
【特許文献１】特開２００６−１９２０６０号公報
【発明の概要】
【発明が解決しようとする課題】
【０００７】
ところで、上記のような手順によりスプリンクラー設備を施工する場合、スプリンクラー配管ユニットの取り付け、及びスプリンクラー配管ユニットへのスプリンクラーヘッドの取り付けの両方にスプリンクラー専門工が必要になるため、工数を削減することができない。
【０００８】
また、スプリンクラーヘッドは、例えば、段ボール箱とクッション材とを梱包材として用い、段ボール箱内にクッション材を介して所定数量ずつ詰め込んで梱包しているため、段ボール箱及びクッション材を廃棄物として処理しなければならず、廃棄物の削減につながらない。
【０００９】
さらに、現場に搬入した段ボール箱をそのまま施工場所に運ぶか、又は現場に搬入した段ボール箱を開封し、必要数量を他の段ボール箱等にクッション材と共に移し変えて、スプリンクラーヘッドの取り付け箇所に配っているが、スプリンクラーヘッドは、例えば、特許文献１に記載されているような樹脂製の保護キャップで保護されているだけなので、不適切な取り扱いによってスプリンクラーヘッドに保護キャップを介して外力が加わった場合に、スプリンクラーヘッドが損傷することがある。
【００１０】
本発明は、上記のような従来の問題に鑑みなされたものであって、工数を大幅に削減することができるとともに、廃棄物の排出量を大幅に削減でき、さらに、スプリンクラーヘッドが損傷するのを防止できる、スプリンクラー配管ユニットの養生装置及びスプリンクラー配管ユニットの施工方法を提供することを目的とする。
【課題を解決するための手段】
【００１１】
上記のような課題を解決するために、本発明は、以下のような手段を採用している。
すなわち、本発明は、樹脂管の先端に座付エルボを介してスプリンクラーヘッドが取り付けられるスプリンクラー配管ユニットの養生装置であって、断熱性及びクッション性を有する材料から形成されるとともに、内部に前記スプリンクラー配管ユニットの前記座付エルボ及び前記スプリンクラーヘッドを収容する略Ｌ形の収容室が設けられ、かつ前記スプリンクラー配管ユニットの長手方向に沿って２つ割りに形成される養生部材と、該養生部材を開閉自在に連結する連結手段と、前記養生部材を閉じた状態に固定する固定手段とを備えていることを特徴とする。
【００１２】
本発明のスプリンクラー配管ユニットの養生装置によれば、スプリンクラー配管ユニットの座付エルボ及びスプリンクラーヘッドは、断熱性及びクッション性を有する養生部材の収容室内に収容され、この状態で工場から現場に搬入されることになる。従って、運送業者等が搬入の途中の過程で不適切な取り扱いをして外力が加わっても、その外力を養生部材で吸収することができるので、スプリンクラーヘッドが外力によって損傷するようなことはなく、スプリンクラーヘッドの機能を維持することができる。
また、養生部材を取り付けた状態でスプリンクラー配管ユニットを建物の天井部に取り付けることになるので、スプリンクラー専門工によらずに衛生配管工でも十分に作業を行うことができ、工数を大幅に削減することができる。
さらに、スプリンクラー配管ユニットの建物の天井部への取り付けが完了するまでの間、スプリンクラーヘッドは養生部材で保護されているので、スプリンクラー配管ユニットの取り付けの際にも、養生部材で外力を吸収することができ、スプリンクラーヘッドが外力によって損傷するようなことはなく、スプリンクラーヘッドの機能を維持することができる。
さらに、養生部材を再使用することができるので、廃棄物の排出量を削減できるとともに、スプリンクラー設備の施工に要するコストを大幅に低減させることができる。
さらに、養生部材は、２つ割りに形成されるとともに、連結手段によって開閉自在に連結され、固定手段によって閉じた状態に固定されることになるので、スプリンクラー配管ユニットの座付エルボ及びスプリンクラーヘッドの養生部材の収容室内への入れ出しを容易に行うことができる。
【００１３】
また、本発明において、前記収容室は、前記座付エルボを収容する第１収容室と、該第１収容室に連設されるとともに、前記スプリンクラーヘッドを収容する第２収容室とを備え、前記第１収容室は、前記座付エルボのエルボ本体の前記樹脂管との接続部を案内する、該接続部の外面形状に合致した内面形状の第１案内部と、前記座付エルボのナット部を案内する、該ナット部の外面形状に合致した内面形状の第２案内部と有していることを特徴とする。
【００１４】
本発明のスプリンクラー配管ユニットの養生装置によれば、養生部材の収容室は、座付エルボを収容する第１収容室と、スプリンクラーヘッドを収容する第２収容室とを備え、第１収容室は、座付エルボのエルボ本体の樹脂管との接続部を案内する第１案内部と、座付エルボのナット部を案内する第２案内部とを有し、しかも、第１案内部は、エルボ本体の接続部の外面形状に合致した内面形状に形成され、第２案内部は、ナット部の外面形状に合致した内面形状に形成されているので、座付エルボが第１収容室内で樹脂管の方向及びスプリンクラーヘッドの方向にがたつくようなことはない。
従って、養生部材に外力が加わっても、座付エルボに取り付けられているスプリンクラーヘッドが第２収容室内でがたつくようなことはないので、スプリンクラーヘッドが第２収容室内の養生部材表面との接触による損傷を受けることを防止し、スプリンクラーヘッドの機能を維持することができる。
【００１５】
さらに、本発明において、前記第１案内部及び前記第２案内部は、それらの内面に前記接続部の外面及び前記ナット部の外面を密着させ得る内寸法に形成されていることを特徴とする。
【００１６】
本発明のスプリンクラー配管ユニットの養生装置によれば、養生部材の第１収容室の第１案内部及び第２案内部は、それらの内面に座付エルボの樹脂管との接続部の外面及び座付エルボのナット部の外面を密着させ得る内寸法に形成されているので、座付エルボが第１収容室内で第１収容室の内面方向へがたつくようなことはなく、座付エルボに取り付けられるスプリンクラーヘッドが第２収容室内でがたつくようなことはなく、搬送中又は取り付け中に、養生部材表面との接触によりスプリンクラーヘッドが損傷するようなことはない。
【００１７】
さらに、本発明において、前記スプリンクラーヘッドには、保護キャップが取り付けられていることとしてもよい。
【００１８】
本発明のスプリンクラー配管ユニットの養生装置によれば、スプリンクラーヘッドは、保護キャップを取り付けた状態で養生部材の収容室内に収容されることになるので、外力によってスプリンクラーヘッドが損傷するのを更に効果的に防止できる。
【００１９】
さらに、本発明において、前記第２収容室は、前記第１収容室の前記第２案内部に連設される大径部と、大径部に連設される小径部とから構成され、前記大径部内に前記スプリンクラーヘッドが収容され、前記大径部と前記小径部との境界の段差に前記保護キャップの頭部が当接されるように構成されていることとしてもよい。
【００２０】
本発明のスプリンクラー配管ユニットの養生装置によれば、第２収容室の大径部内にスプリンクラーヘッドを収容した場合に、第２収容室の大径部と小径部との境界の段差に保護キャップの頭部が当接することになるので、第２収容室内でスプリンクラーヘッドが軸線方向にがたつくようなことはなく、養生部材表面との接触によりスプリンクラーヘッドが損傷するようなことはない。
【００２１】
さらに、本発明において、前記第２収容室の大径部は、内面に前記キャップの外面を密着させ得る内寸法に形成されていることとしてもよい。
【００２２】
本発明のスプリンクラー配管ユニットの養生装置によれば、第２収容室の大径部の内面方向にスプリンクラーヘッドが動くようなことはないので、養生部材表面との接触によりスプリンクラーヘッドが損傷するようなことはない。
【００２３】
さらに、本発明において、前記連結手段は、紙製、布製、プラスチック製又は金属製の粘着テープであり、前記固定手段は、伸縮性を有する環状のバンド、又は紙製、布製、プラスチック製又は金属製の粘着テープであることとしてもよい。
【００２４】
本発明のスプリンクラー配管ユニットの養生装置によれば、紙製、布製、プラスチック製又は金属製の粘着テープにより、養生部材が開閉可能に連結されることになる。
また、伸縮性を有する環状のバンド、又は紙製、布製、プラスチック製又は金属製の粘着テープにより、養生部材が閉じた状態に固定されることになる。
【００２５】
さらに、本発明において、前記養生部材の表面の一部は曲面に形成されていることとしてもよい。
【００２６】
本発明のスプリンクラー配管ユニットの養生装置によれば、養生部材の表面に外力が加わった場合に、その外力を表面の一部の曲面で緩和させることができる。
【００２７】
さらに、本発明は、樹脂管の先端に座付エルボを介してスプリンクラーヘッドを取り付けたスプリンクラー配管ユニットを加工し、このスプリンクラー配管ユニットの前記座付エルボ及び前記スプリンクラーヘッドを請求項１から８に記載の養生装置の養生部材の収容室内に収容して養生し、この状態で搬送して建物の天井部の取付位置に取り付け、取り付け作業が完了する直前に前記養生装置を取り外すことを特徴とする。
【００２８】
本発明のスプリンクラー配管ユニットの施工方法によれば、スプリンクラー配管ユニットの現場への搬入の途中、及び現場での天井部への取り付け作業中に、スプリンクラーヘッドに直接に外力が加わるようなことはなく、スプリンクラーヘッドが損傷するようなことはない。
【発明の効果】
【００２９】
以上、説明したように、本発明のスプリンクラー配管ユニットの養生装置及びスプリンクラー配管ユニットの施工方法によれば、スプリンクラー専門工によってスプリンクラーヘッドを取り付ける必要がないので、工費を大幅に削減することができる。
また、養生部材を再使用することができるので、廃棄物の排出量を削減できるとともに、スプリンクラー設備の施工コストを低減させることもできる。
さらに、スプリンクラーヘッドが搬送途中で損傷したり、建物の天井部への取り付け作業中に損傷したりするようなことはなく、スプリンクラーヘッドの天井部への取り付けが完了するまでの間、スプリンクラーヘッドの本来の機能を維持することができる。
【図面の簡単な説明】
【００３０】
【図１】本発明によるスプリンクラー配管ユニットの養生装置の一実施の形態を示した斜視図であって、養生部材と連結手段との関係を示した斜視図である。
【図２】養生部材を開いた状態を示した平面図である。
【図３】養生部材の第１分割部の平面図である。
【図４】図３のＡ−Ａ線断面図である。
【図５】図４のＢ−Ｂ線断面図である。
【図６】図４のＣ−Ｃ線断面図である。
【図７】図４のＤ−Ｄ線断面図である。
【図８】スプリンクラー配管ユニットの一例を示した斜視図である。
【図９】スプリンクラー配管ユニットの他の例を示した斜視図である。
【図１０】スプリンクラー配管ユニットの先端部を養生部材の第１分割部内に収容した状態を示した説明図である。
【図１１】スプリンクラー配管ユニットの先端部を養生部材に収納し、養生部材の第１分割部と第２分割部とを閉じた状態に固定した状態を示した斜視図である。
【図１２】スプリンクラー配管ユニットの建物の天井部への取り付け手順を示した説明図である。
【図１３】スプリンクラー配管ユニットの建物の天井部への取り付け手順を示した説明図である。
【発明を実施するための形態】
【００３１】
以下、図面を参照しながら本発明の実施の形態について説明する。
図１〜図７、及び図１１には、本発明によるスプリンクラー配管ユニット（以下、配管ユニット２０という。）の養生装置１の一実施の形態が示されている。また、図８及び図９には、本実施の形態による養生装置１によって養生される配管ユニット２０が示されている。
【００３２】
本実施の形態の配管ユニット２０の養生装置１は、工場で加工されるスプリンクラー設備の配管ユニット２０、例えば、保護キャップ３５が取り付けられたスプリンクラーヘッド２８をネジで締め付けた座付エルボ２２に樹脂管２１を工場で熱融着等した配管ユニット２０のスプリンクラーヘッド２８の養生に有効なものである。
【００３３】
配管ユニット２０は、図８及び図９に示すように、所定の長さに形成した樹脂管２１の先端に座付エルボ２２を取り付け、座付エルボ２２にスプリンクラーヘッド２８を取り付け、スプリンクラーヘッド２８に保護キャップ３５を取り付けることによって構成され、この配管ユニット２０の先端部（座付エルボ２２及び保護キャップ３５付きのスプリンクラーヘッド２８）が後述する養生装置１によって養生される。
【００３４】
金属製の座付ナット２４及びナット部２５が一体となった座付エルボ２２は、図８及び図９に示すように、樹脂製のエルボ本体２３の一端が樹脂管２１の先端に熱融着等によって一体に取り付けられる構成となる。
【００３５】
座付ナット２４は、内周面がねじ部（図示せず）に形成される六角形状のナット部２５と、ナット部２５の軸方向の一端に一体に設けられる筒状の取付部２６と、ナット部２５と取付部２６との間に設けられる、外方に張り出る座金部２７とが一体化されたものであり、取付部２６をエルボ本体２３の他端に取り付けることで、座付ナット２４とエルボ本体２３とが一体化された座付エルボ２２が構成される。
【００３６】
スプリンクラーヘッド２８は、例えば、先端に感熱部３０を有する本体部２９と、本体部２０を座付ナット２４のナット部２５に取り付けるねじ部３１と、本体部２９とねじ部３１との間に設けられる外方に張り出るフランジ部３２とを備え、本体部２９の感熱部３０を被包するように、本体部２９に樹脂製の保護キャップ３５が取り付けられている。
【００３７】
スプリンクラーヘッド２８は、ねじ部３１をシール剤を介して座付エルボ２２の座付ナット２４のナット部２５に螺合させ、フランジ部３２を介して所定のトルクで締め付けることにより、座付エルボ２２の座付ナット２４に取り付けられる。
【００３８】
保護キャップ３５は、スプリンクラーヘッド２８の形状に応じた形状に形成される。例えば、図８及び図９に示すように、一端が閉塞された円筒状をなすとともに、閉塞された一端から突出する把手部３７が一体に設けられた形状に形成される。図８に示す例では、把手部３７は円板状に形成され、図９に示す例では、把手部３７はＣ形状に形成される。これら把手部３７を利用して、保護キャップ３５をスプリンクラーヘッド２８に着脱させることができる。
【００３９】
養生装置１は、断熱性及びクッション性を有し、かつ軽量の材料（例えば、発泡スチロール等）から形成され、図１〜図７、及び図１０〜図１１に示すように、内部に上述した配管ユニット２０の座付エルボ２２及び保護キャップ３５付きのスプリンクラーヘッド２８を収容する収容室５が設けられ、かつ配管ユニット２０の長手方向に沿って第１分割部３と第２分割部４の２つ割りに形成される養生部材２と、養生部材２を開閉自在に連結する連結手段１４と、養生部材２を閉じた状態に固定する固定手段１５とを備えている。
【００４０】
養生部材２は、例えば、図１及び図２に示すように、略直方体状をなすものの上面側を半円形状に面取りするとともに、下面側を２段に形成した形状をなすものであって、上下面の中央部から左右対称の第１分割部３と第２分割部４とに２つ割りに形成されている。
【００４１】
収容室５は、図２〜図７に示すように、第１収容室６と、第１収容室６に連設される第２収容室１０とから構成され、図１０に示すように、第１収容室６内に座付エルボ２２が収容され、第２収容室１０内に保護キャップ３５付きのスプリンクラーヘッド２８が収容される。
【００４２】
第１収容室６は、図２、図３、及び図１０に示すように、略Ｌ形状をなすものであって、一端が養生部材２の下面側に開口するようになっている。第１収容室６の開口側には、座付エルボ２２の樹脂管２１との接続部２３ａを案内する円筒状の第１案内部７が形成され、第２収容室１０に連続する部分には、座付エルボ２２のナット部２５を案内する第２案内部８が形成されている。
【００４３】
第１案内部７は、座付エルボ２２のエルボ本体２３の樹脂管２１との接続部２３ａの外面（円形断面）と合致する内面形状（円形断面）に形成されるとともに、接続部２３ａの外面を密着させ得る内寸法に形成されている。これにより、座付エルボ２２のエルボ本体２３の接続部２３ａが径方向にがたつくのを阻止できる。
【００４４】
第２案内部８は、座付エルボ２２のナット部２５の外面形状（六角形状断面）に合致する内面形状（六角形状断面）に形成されるとともに、ナット部２５の外面を密着させ得る内寸法に形成されている。これにより、座付エルボ２２のナット部２５が第２案内部８の径方向にがたつくのを阻止できる。
【００４５】
第１収容室６の第１案内部７と第２案内部８とを接続する中間部９は、座付エルボ２２のエルボ本体２３のコーナー部２３ｂ、及びこのコーナー部２３ｂの他端に接続される座付エルボ２２の座金部２７を収容可能な形状、大きさに形成されている。
なお、中間部９を、座付エルボ２２のエルボ本体２３のコーナー部２３ｂに合致させた内面形状に形成してもよい。
【００４６】
第２収容室１０は、第１収容室６に連続して設けられる大径部１１と、大径部１１に連続して設けられる大径部１１よりも小径の小径部１２とから構成され、大径部１１内に保護キャップ３５を取り付けた状態のスプリンクラーヘッド２８が収容され、小径部１２内に保護キャップ３５の把手部３７が収容され、大径部１１と小径部１２との境界の段差１３に保護キャップ３５の頭部が当接可能に構成されている。
【００４７】
第２収容室１０の大径部１１は、スプリンクラーヘッド２８に取り付けた保護キャップ３５の外面が密着可能な内寸法の円形断面に形成されている。これにより、第２収容室１０内で保護キャップ３５付きのスプリンクラーヘッド２８が第２収容室１０の径方向へがたつくのが阻止される。
【００４８】
第２収容室１０の大径部１１は、スプリンクラーヘッド２８に保護キャップ３５を取り付けた状態で、保護キャップ３５の頭部が大径部１１と小径部１２との境界の段差１３に当接可能な長さに形成されている。これより、第２収容室１０内で、保護キャップ３５付きのスプリンクラーヘッド２８が第２収容室１０の軸方向にがたつくのを阻止できる。
なお、保護キャップ３５の頭部が段差１３に当接した状態で、保護キャップ３５の把手部３７は小径部１２内に遊嵌状態で収容される。これにより、把手部３７の形状が異なる図８及び図９の例に対応することが可能となる。
【００４９】
連結手段１４は、図１及び図１１に示すように、養生部材２の第１分割部３と第２分割部４とを開閉可能に連結する紙製、布製、プラスチック製、又は金属製の粘着テープであって、第１分割部３と第２分割部４の分割面に隣接する上面間に貼着されている。なお、本実施の形態においては、連結手段１４に紙製の粘着テープを用い、この粘着テープの表面に取り扱いの注意を喚起させる「取扱注意」の表示を施している。
【００５０】
固定手段１５は、図１１に示すように、養生部材２を第１分割部３と第２分割部４とを閉じた状態に固定するものであって、伸縮性を有する環状のバンド（輪ゴム等）、又は紙製、布製、プラスチック製又は金属製の粘着テープ等から構成される。本実施の形態においては、固定手段１５に輪ゴムを用い、一対の輪ゴムを二重にした状態で養生部材２の第１分割部３及び第２分割部４の周囲に巻回させている。
【００５１】
上記のように構成した本実施の形態の養生装置１を、図８〜図１１に示す配管ユニット２０の先端部の座付エルボ２２及び保護キャップ３５付きのスプリンクラーヘッド２８が養生部材２の収容室５内に収容されるように、配管ユニット２０に取り付ける。
【００５２】
このように養生装置１を取り付けた配管ユニット２０を一ユニットずつ束ねて透明のビニルの袋内等に入れて梱包し、この状態で運送業者により工場から現場に搬入し、現場において梱包を解いて配管ユニット２０を取り出し、図１２に示すように、現場の天井部４０の天井スラブ４１に固定バンド４２等によって配管ユニット２０の樹脂管２１を固定し、養生装置１を取り外し、保護キャップ付スプリンクラーヘッド２８´を露出させ、天井部４０の所定の位置に配置する。
【００５３】
なお、養生装置１は、配管ユニット２０の取り付け作業が完了した後に、回収して工場に戻し、再使用することになる。
【００５４】
そして、天井板４３にクロスを貼付し、この後に保護キャップ３５を取り外すことによってスプリンクラーの配管設備の施工が完了することになる。
【００５５】
上記のように構成した本実施の形態の養生装置１にあっては、配管ユニット２０の座付エルボ２２及び保護キャップ３５付きのスプリンクラーヘッド２８を、養生部材２の収容室５内に収容し、この状態で工場から現場に搬入するように構成したので、運送業者等が搬入の途中の過程で不適切な取り扱いをして養生部材２に外力が加わっても、その外力を養生部材で吸収することができるので、スプリンクラーヘッド２８が外力によって損傷するようなことはない。
【００５６】
また、養生部材２を取り付けた状態で配管ユニット２０を建物の天井部４０に取り付けることができるので、スプリンクラー専門工によらずに衛生配管工でも十分に取り付け作業を行うことができ、工費を大幅に削減することができる。
【００５７】
さらに、配管ユニット２０の建物の天井部４０への取り付けが完了するまでの間、スプリンクラーヘッド２８は養生部材２及び保護キャップ３５で保護されているので、配管ユニット２０の取り付けの際にも、養生部材２で外力を吸収することができ、スプリンクラーヘッド２８が外力によって損傷するようなことはない。
【００５８】
さらに、工場で樹脂管２１の先端に座付エルボ２２を取り付け、座付エルボ２２にスプリンクラーヘッド２８を取り付けて配管ユニット２０を構成し、この配管ユニット２０を工場で性能試験を実施した後に、現場に搬入して天井部４０に取り付けることができるので、現場での取り付け作業が完了した後に、性能試験を実施する手間を削減することができる。
【００５９】
さらに、養生装置１の養生部材２を回収して再使用することができるので、廃棄物の排出量を削減できるとともに、スプリンクラー配管ユニット２０の養生装置１がコストアップの要因となるようなことはない。
【００６０】
さらに、養生部材２は、２つ割りに形成されるとともに、連結手段１４によって開閉自在に連結され、固定手段１５によって閉じた状態に固定されることになるので、配管ユニット２０の座付エルボ２２及び保護キャップ３５付きのスプリンクラーヘッド２８の養生部材２の収容室５内への入れ出しを容易に行うことができる。
【００６１】
さらに、養生部材２を発泡スチロール等の材料で形成することにより、養生部材２の外形を確認することにより、搬送の途中で養生部材２に外力が加わったか否かを確認することができ、養生部材２の外形の状態に応じて、スプリンクラーヘッド２８が損傷しているか否かの判断を行うこともできる。
【符号の説明】
【００６２】
１  養生装置
２  養生部材
３  第１分割部
４  第２分割部
５  収容室
６  第１収容室
７  第１案内部
８  第２案内部
９  中間部
１０  第２収容室
１１  大径部
１２  小径部
１３  段差
１４  連結手段
１５  固定手段
２０  スプリンクラー配管ユニット（配管ユニット）
２１  樹脂管
２２  座付エルボ
２３  エルボ本体
２３ａ  接続部
２３ｂ  コーナー部
２４  座付ナット
２５  ナット部
２６  取付部
２７  座金部
２８  スプリンクラーヘッド
２８´保護キャップ付スプリンクラーヘッド
２９  本体部
３０  感熱部
３１  ねじ部
３２  フランジ部
３５  保護キャップ
３７  把手部
４０  天井部
４１  スラブ
４２  固定バンド
４３  天井板
【図１】
2010227139.tif 000003
【図２】
2010227139.tif 000004
【図３】
2010227139.tif 000005
【図４】
2010227139.tif 000006
【図５】
2010227139.tif 000007
【図６】
2010227139.tif 000008
【図７】
2010227139.tif 000009
【図８】
2010227139.tif 000010
【図９】
2010227139.tif 000011
【図１０】
2010227139.tif 000012
【図１１】
2010227139.tif 000013
【図１２】
2010227139.tif 000014
【図１３】
2010227139.tif 000015